(57)【要約】【課題】不用意な力によるストッパーの外れを防止する。【解決手段】容器内の液体を吸引、加圧、圧送するポンプを組み込んだボディと、このボディの先端に回動自在に保持され該ポンプにて圧送された液体を外界に向けて噴出させる噴射ノズルと、ボディに揺動可能に枢支されその牽曳にてポンプのピストンをシリンダー内で往復移動させる操作レバーと、噴射ノズルに片持ち支持され該噴射ノズルの回動にて操作レバー背面とシリンダー基端との間に位置させて操作レバーの牽曳を阻止するストッパーとを備えたトリガー式液体噴出器において、前記操作レバーとストッパーとの相互間に該ストッパーの位置ずれを防止する位置決め手段を設ける。【選択図】        図１
2004329984.tif 000002
【特許請求の範囲】
【請求項１】
容器内の液体を吸引、加圧、圧送するポンプを組み込んだボディと、このボディの先端に回動自在に保持され該ポンプにて圧送された液体を外界に向けて噴出させる噴射ノズルと、ボディに揺動可能に枢支されその牽曳にてポンプのピストンをシリンダー内で往復移動させる操作レバーと、噴射ノズルに片持ち支持され該噴射ノズルの回動にて操作レバー背面とシリンダー基端との間に位置させて操作レバーの牽曳を阻止するストッパーとを備えたトリガー式液体噴出器であって、
前記操作レバーとストッパーとの相互間に該ストッパーの位置ずれを防止する位置決め手段を設けたことを特徴とするトリガー式液体噴出器。
【請求項２】
位置決め手段が操作レバーの背面に設けられストッパーの端部下端に当接するリブ又は板状部材からなる請求項１記載の液体噴出器。
【請求項３】
位置決め手段が操作レバーの背面に設けられた凹部とストッパーの端部に設けられ該凹部に嵌まり込む凸部からなる請求項１又は２に記載の液体噴出器。
【請求項４】
位置決め手段が操作レバーの背面に設けられストッパーの端部そのものを嵌め込む凹部からなる請求項１又は２に記載の液体噴出器。
【請求項５】
位置決め手段が操作レバーの背面に設けられた上向きの段差面とストッパーの端部に設けられ上向きの段差面に係合する下向きの段差面からなる請求項１又は２に記載の液体噴出器。
【発明の詳細な説明】
【０００１】
【発明の属する技術分野】
本発明は、操作レバーの牽曳を阻止するストッパー付きのトリガー式液体噴出器に関するものであり、該ストッパーによる確実なロックを実現しようとするものである。
【０００２】
【従来の技術】
黴取り剤や洗剤、整髪剤、芳香剤等を入れた容器に用いられている合成樹脂製のトリガー式噴出器は、噴射ノズルを装着したボディに、液体の吸引、加圧、圧送を司るポンプ機構が組み込まれており、操作レバーの牽曳にてポンプ機構を構成するピストンをシリンダー内で往復動させることによって液体の効率的な噴出を可能にしている。
【０００３】
通常、この種の噴出器は、噴射ノズルのノズルカバーにアームを介して片持ち支持されたストッパーが配置されており、該ノズルカバーを噴射ノズルとともに回動させて該ストッパーを操作レバーとポンプのシリンダーとの相互間に位置させることで、操作レバーの牽曳を阻止して保管時における内容物の不用意な噴出を回避するようになっている（例えば、特許文献１参照）。
【０００４】
【特許文献１】
ＷＯ９８／１７３９９号公報
【０００５】
ところで、従来形式の操作レバーは使い勝手の改善を図る観点から湾曲形状を有しており、ロック状態で操作レバーの前面に大きな力が加えられた場合に、アームが変形してストッパーが操作レバーの湾曲面に沿って下方にずれてロック状態が解除されてしまうことが懸念された。
【０００６】
【発明が解決しようとする課題】
本発明の課題は、操作レバーの前面に不用意に力が加えられたとしてもストッパーの位置ずれが防止されロック状態を確実に維持できる新規なトリガー式噴出器を提案するところにある。
【０００７】
【課題を解決するための手段】
本発明は、容器内の液体を吸引、加圧、圧送するポンプを組み込んだボディと、このボディの先端に回動自在に保持され該ポンプにて圧送された液体を外界に向けて噴出させる噴射ノズルと、ボディに揺動可能に枢支されその牽曳にてポンプのピストンをシリンダー内で往復移動させる操作レバーと、噴射ノズルに片持ち支持され該噴射ノズルの回動にて操作レバー背面とシリンダー基端との間に位置させて操作レバーの牽曳を阻止するストッパーとを備えたトリガー式液体噴出器であって、
前記操作レバーとストッパーとの相互間に該ストッパーの位置ずれを防止する位置決め手段を設けたことを特徴とするトリガー式液体噴出器である。
【０００８】
位置決め手段は、操作レバーの背面に設けられストッパーの端部下端に当接するリブ又は板状部材からなるもの、操作レバーの背面に設けられた凹部とストッパーの端部に設けられ該凹部に嵌まり込む凸部からなるもの、あるいは操作レバーの背面に設けられストッパーの端部そのものを嵌め込む凹部からなるもの、操作レバーの背面に設けられた上向きの段差面とストッパーの端部に設けられ上向きの段差面に係合する下向きの段差面からなるもの、あるいはリブ又は板状部材とその他構成との組合せからなるものが有利に適合する。
【０００９】
【発明の実施の形態】
以下、図面を用いて本発明をより具体的に説明する。
【００１０】
図１〜３は本発明に従うトリガー式液体噴出器の実施の形態を示したものであり、図１は正面図、図２は側面図、そして図３は要部の断面を示した図である。
【００１１】
図において１はボディ（カバーを含む）、２はボディに回転自在に保持され容器の口部にねじ止めされるベースキャップ、３はボディ１内に組み込まれたポンプであって、このポンプ３は図３に要部断面を示す如く、シリンダー３ａとこのシリンダー３ａ内で往復移動可能なピストン３ｂからなっている。
【００１２】
また、４はボディ１の先端に回動自在に保持されポンプ３にて圧送された液体を外界へ向けて噴出させる噴射ノズル、５はボディ１に揺動可能に枢支されその牽曳にてポンプ３のピストン３ｂをシリンダー３ａ内で往復移動させて液体を吸引、加圧、圧送するための操作レバー、６はストッパーである。ストッパー６は噴射ノズル４に被さるカバー６ａとこのカバー６ａに固定保持されるアーム６ｂとアーム６ｂの先端に保持され操作レバー５とシリンダー３ａとの相互間に位置させて該操作レバー５の牽曳を阻止するブロック６ｃからなる。
【００１３】
７はストッパー６の位置ずれを防止するための位置決め手段であって、この実施の形態では、操作レバー５の背面に一体的に形成されストッパー６のブロック６ｃの端部下端に当接して該ブロック６ｃの下方への移動を阻止する横リブ（横リブ間の間隙を連結した板状部材とすることも可能）を例として示してある。
【００１４】
図示のようなロック状態で操作レバー５の前面に図３の矢印の如き大きな力が加えられた場合においてブロック６ｃが操作レバー５の湾曲面に沿って下方へ移動するような力が作用するが、このとき該位置決め手段７によってブロック６ｃは拘束されることになり、ロック状態が簡単に解除されることはない。
【００１５】
図４（ａ）〜（ｃ）は本発明に従う噴出器の他の実施の形態を要部について示したものである。
【００１６】
図４（ａ）は位置決め手段７を操作レバー５の背面に設けられた凹部７ａとストッパー６の端面（ブロック６ｃの端面）に設けられ該凹部７ａに嵌まり込む凸部７ｂにて構成した例を示したものであり、図４（ｂ）は位置決め手段７を操作レバー５の背面に設けられストッパー６の端部そのもの（ブロック６ｃの端部）を嵌め込む凹部７ｃにて構成した例を示したものであり、さらに、図４（ｃ）は位置決め手段７を操作レバー５の背面に設けられた上向きの段差面７ｄとストッパー６の端部に設けられ上向きの段差面７ｄに係合する下向きの段差面７ｅとにて構成した例を示したものであり、何れのものも、ストッパー６のブロック６ｃが下方に移動するような力が作用しても下方にずれるようなことはなく、ストッパー６によるロック状態は確実に維持される。なお、上記図４（ａ）〜（ｃ）の実施例に先の実施例として記載したリブ又は板状部材を組み合わせ構成することも可能であり、この場合にはより安定的にロック状態を維持することができる。
【００１７】
ストッパー６によるロック状態を解除するには、噴射ノズル４を図５に示すように回動させればよい。
【００１８】
なお、図１〜５には、噴射ノズル先端に泡生成用の中心部分が開口する公知の棒状障壁が設けられているフォーマートリガー式液体噴射器を示しており、当該棒状障壁は図示以外にも中心部分が連結される形状のものやあるいは棒状障壁を用いず噴射ノズル内壁を泡生成部とするようなその他公知の形状が採用可能である。また、噴射ノズル前面に設けられている空気導入開口も図示の構成から、例えば噴射ノズル側壁に開口する構成に変更することも可能である。さらには、ストッパー６については図示のフォーマートリガー式液体噴出器のみならず、霧状あるいはストレート状に噴出するトリガー式液体噴出器にも採用することが可能である。
【００１９】
【発明の効果】
本発明によれば、操作レバーのロック状態で該レバーを牽曳するような大きな力が作用してもストッパーが簡単に外れるようなことはない。
【図面の簡単な説明】
【図１】本発明に従うトリガー式液体噴出器の正面を示した図である。
【図２】図１の側面を示した図である。
【図３】図２の要部を断面で示した図である。
【図４】（ａ）〜（ｃ）は本発明に従う液体噴出器の他の実施の形態を要部について示した図である。
【図５】本発明に従うトリガー式液体噴出器の使用状態での正面を示した図である。
【符号の説明】
１  ボディ
２  ベースキャップ
３  ポンプ
３ａシリンダー
３ｂピストン
４  噴射ノズル
５  操作レバー
６  ストッパー
６ａカバー
６ｂアーム
６ｃブロック
７  位置決め手段
７ａ凹部
７ｂ凸部
７ｃ凹部
７ｄ段差面
７ｅ段差面
【図１】
2004329984.tif 000003
【図２】
2004329984.tif 000004
【図３】
2004329984.tif 000005
【図４】
2004329984.tif 000006
【図５】
2004329984.tif 000007